【事件の表示】
　特許第６５０８５６１号発明「ビール用複合容器の製造方法、複合プリフォーム、ビール用複合容器、内側ラベル部材およびプラスチック製部材」の特許異議申立事件について、次のとおり決定する。
【結　論】
　特許第６５０８５６１号の特許請求の範囲を訂正請求書に添付された訂正特許請求の範囲のとおり、訂正後の請求項〔１〜３〕、〔５〜７〕、〔９〜１１〕、１２について訂正することを認める。
　特許第６５０８５６１号の請求項１ないし３、５ないし７、９ないし１１に係る特許を取り消す。
　特許第６５０８５６１号の請求項４、８及び１２に係る特許を維持する。
【理　由】
第１　主な手続の経緯等 
　
　特許第６５０８５６１号（設定登録時の請求項の数は１２。以下、「本件特許」という。）は、平成２６年９月９日を出願日とする特願２０１４−１８３５７８号に係るものであって、平成３１年４月１２日にその特許権の設定登録がされ、特許掲載公報が令和１年５月８日に発行され、その後、その特許に対し、同年１０月２８日に特許異議申立人　高橋真哉（以下、「異議申立人」という。）により特許異議の申立て（対象請求項：請求項１ないし１２）がされた。
　当審において、令和２年１月３１日付けで取消理由を通知したところ、特許権者は、同年３月２６日に意見書及び訂正請求書を提出したので、当審から、同年４月７日付けで異議申立人に対して特許法第１２０条の５第５項に基づく通知をしたところ、異議申立人は、同年４月２８日に意見書を提出した。
　当審において、令和２年７月２０日付けで取消理由＜決定の予告＞を通知したところ、特許権者は、同年９月２８日に意見書と共に訂正請求書（以下、当該訂正請求書による訂正請求を「本件訂正請求」という。）を提出したので、当審から、同年１０月３０日付けで異議申立人に対して特許法第１２０条の５第５項に基づく通知をしたところ、異議申立人は、同年１２月４日に意見書を提出した。
　なお、令和２年３月２６日提出の訂正請求書は取り下げられたものとみなされる。（特許法第１２０条の５第７項）
　
第２　訂正の適否についての判断
　
１　訂正の内容
　本件訂正請求による訂正の内容は、以下の訂正事項１ないし８のとおりである。ここで、訂正事項１及び２は、訂正前の請求項１〜３の一群の請求項に係る訂正であり、訂正事項３及び４は、訂正前の請求項５〜７の一群の請求項に係る訂正であり、訂正事項５及び６は、訂正前の請求項９〜１１の一群の請求項に係る訂正であり、訂正事項７及び８は、訂正前の請求項１２についての訂正であるから、これらの訂正は一群の請求項ごとの訂正である。なお、下線は、訂正箇所に合議体が付したものである。
　
　訂正事項１
　訂正前の特許請求の範囲の請求項１に、
「前記プリフォームの胴部の外側および底部の少なくとも一部の外側に、予め筒状に形成されたプラスチック製部材を接着することなく装着する工程と、」と記載されているのを、
「前記プリフォームの胴部の外側および底部の少なくとも一部の外側に、予め筒状に形成されたプラスチック製部材を接着することなく装着する
ことにより、前記プラスチック製部材を前記プリフォームに対して移動又は回転せず、かつ自重で落下しない程度に密着させる
　請求項１を直接又は間接的に引用する請求項２及び３についても同様に訂正する。
　訂正事項２
　訂正前の特許請求の範囲の請求項１に、
「膨張された後の前記ビール用複合容器の前記プラスチック製部材は、波長４００ｎｍ〜５００ｎｍの光に対する透過率が２０％以下であり、
　前記ビール用複合容器の前記プラスチック製部材を前記容器本体から剥離除去し、前記容器本体をリサイクル可能となっていることを特徴とするビール用複合容器の製造方法。」と記載されていたのを、
「膨張された後の前記ビール用複合容器の前記プラスチック製部材は、波長４００ｎｍ〜５００ｎｍの光に対する透過率が２０％以下であり、
　
前記プラスチック製部材は、水蒸気バリア性を有し、
　
前記プラスチック製部材は、遮光性樹脂が添加されることにより紫外線バリア性を有し、
　
前記容器本体の内面に蒸着膜が形成され、
　
容器本体の満注容量が１００ｍｌ〜２０００ｍｌであり、前記容器本体の底部は、ペタロイド底形状を有し、前記容器本体の胴部は、円筒形状を有し、
　
前記ビール用複合容器の前記プラスチック製部材に、前記プラスチック製部材を前記容器本体から分離除去するための切断線が設けられ、
　前記ビール用複合容器の前記プラスチック製部材を前記容器本体から剥離除去し、前記容器本体をリサイクル可能となっていることを特徴とするビール用複合容器の製造方法。」に訂正する。
　請求項１を直接又は間接的に引用する請求項２及び３についても同様に訂正する。
　訂正事項３
　訂正前の特許請求の範囲の請求項５に、
「前記プラスチック製部材は、前記プリフォームの外側に接着されることなく剥離除去可能に密着されており、」と記載されているのを、
「前記プラスチック製部材は、前記プリフォームの外側に接着されることなく剥離除去可能に密着されており、
　
前記プラスチック製部材は、前記プリフォームに対して移動又は回転せず、かつ自重で落下しない程度に密着されており、
　請求項５を直接又は間接的に引用する請求項６及び７についても同様に訂正する。
　
　訂正事項４
　訂正前の特許請求の範囲の請求項５に、
「前記プラスチック製部材は、可視光色に着色されており、前記プリフォームは、無色透明であることを特徴とする複合プリフォーム。」と記載されていたのを、
「前記プラスチック製部材は、可視光色に着色されており、前記プリフォームは無色透明で有り、
　
前記プラスチック製部材は、水蒸気バリア性を有し、
　
前記プラスチック製部材は、遮光性樹脂が添加されることにより紫外線バリア性を有し、
　
前記プリフォームの重量は、１０ｇ〜２０ｇである
　請求項５を直接又は間接的に引用する請求項６及び７についても同様に訂正する。
　訂正事項５
　訂正前の特許請求の範囲の請求項９に、
「前記容器本体の口部以外の全域の外側に、接着されることなく剥離除去可能に密着して設けられたプラスチック製部材とを備え、」と記載されているのを、
「前記容器本体の口部以外の全域の外側に、接着されることなく剥離除去可能に密着して設けられた
、周方向に貼り合わせ部を有しない
　請求項９を直接又は間接的に引用する請求項１０及び１１についても同様に訂正する。
　
　訂正事項６
　訂正前の特許請求の範囲の請求項９に、
「前記プラスチック製部材は、波長４００ｎｍ〜５００ｎｍの光に対する透過率が２０％以下であり、
　前記プラスチック製部材を前記容器本体から剥離除去し、前記容器本体をリサイクル可能となっていることを特徴とするビール用複合容器。」と記載されているのを、
「前記プラスチック製部材は、波長４００ｎｍ〜５００ｎｍの光に対する透過率が２０％以下であり、
　
前記プラスチック製部材は、水蒸気バリア性を有し、
　
前記プラスチック製部材は、遮光性樹脂が添加されることにより紫外線バリア性を有し、
　
前記プラスチック製部材の厚みが５μｍ〜５００μｍであり、
　
前記容器本体の内面に蒸着膜が形成され、
　
容器本体の満注容量が１００ｍｌ〜２０００ｍｌであり、前記容器本体の底部は、ペタロイド底形状を有し、前記容器本体の胴部は、円筒形状を有し、
　
前記プラスチック製部材に、前記プラスチック製部材を前記容器本体から分離除去するための切断線が設けられ、
　前記プラスチック製部材を前記容器本体から剥離除去し、前記容器本体をリサイクル可能となっていることを特徴とするビール用複合容器。」に訂正する。
　請求項９を直接又は間接的に引用する請求項１０及び１１についても同様に訂正する。
　訂正事項７
　訂正前の特許請求の範囲の請求項１２に、
「前記容器本体の外側を取り囲むように接着されることなく密着して設けられた内側ラベル部材と、」と記載されているのを、
「前記容器本体の
周方向全域の
　
　訂正事項８
　訂正前の特許請求の範囲の請求項１２に、
「前記容器本体の口部以外の全域の外側であって前記内側ラベル部材の外側に、接着されることなく剥離除去可能に密着して設けられたプラスチック製部材とを備え、」と記載されているのを、
「前記容器本体の口部以外の全域の外側であって前記内側ラベル部材の外側に、接着されることなく剥離除去可能に密着して設けられたプラスチック製部材とを備え、
　
前記プラスチック製部材は、前記内側ラベル部材の外側に接着されることなく取付けられており、
２　訂正の目的の適否、新規事項の有無、及び特許請求の範囲の拡張・変更の存否
（１）　訂正事項１及び２について
ア　訂正事項１は、訂正前の請求項１において特定されていた、プリフォームとプラスチック製部材との装着の程度を限定するものであるから、特許請求の範囲の減縮を目的とするものである。また、訂正事項２は、訂正前の請求項１において特定されていた、容器本体の構成とプラスチック製部材の構成を限定するものであるから、特許請求の範囲の減縮を目的とするものである。
　
イ　訂正事項１の訂正は、願書に添付した明細書の段落【００５９】の記載からみて、また、訂正事項２の訂正は、同じく段落【００３９】、【００４０】、【００４２】、【００４５】、【００５０】、【００６７】及び【００６８】の記載からみて、願書に添付した明細書、特許請求の範囲又は図面に記載した事項の範囲内の訂正であり、訂正事項１及び２ともに、実質上特許請求の範囲を拡張し、又は変更するものではない。
　　　
ウ　よって、請求項１に係る訂正事項１及び２は、特許法第１２０条の５第２項ただし書第１号に掲げる事項を目的とし、同法第１２０条の５第９項で準用する同法第１２６条第５項及び第６項の規定に適合するものである。
　
エ　請求項１に係る訂正事項１及び２の訂正により訂正される請求項２及び３についても同様である。
　
（２）　訂正事項３及び４について
ア　訂正事項３は、訂正前の請求項５において特定されていた、プリフォームとプラスチック製部材との装着の程度を限定するものであるから、特許請求の範囲の減縮を目的とするものである。また、訂正事項４は、訂正前の請求項５において特定されていた、プリフォームの構成とプラスチック製部材の構成を限定するものであるから、特許請求の範囲の減縮を目的とするものである。
　
イ　訂正事項３は、願書に添付した明細書の段落【００５９】の記載からみて、また、訂正事項４は、同じく段落【００４１】、【００６７】及び【００６８】の記載からみて、願書に添付した明細書、特許請求の範囲又は図面に記載した事項の範囲内の訂正であり、訂正事項３及び４は、実質上特許請求の範囲を拡張し、又は変更するものではない。
　　　
ウ　よって、請求項５に係る訂正事項３及び４は、特許法第１２０条の５第２項ただし書第１号に掲げる事項を目的とし、同法第１２０条の５第９項で準用する同法第１２６条第５項及び第６項の規定に適合するものである。
　
エ　請求項５に係る訂正事項３及び４の訂正により訂正される請求項６及び７についても同様である。
　
（３）　訂正事項５及び６について
ア　訂正事項５は、訂正前の請求項９において特定されていたプラスチック製部材の構成を限定するものであるから、特許請求の範囲の減縮を目的とするものである。また、訂正事項６は、訂正前の請求項９において特定されていた、容器本体の構成とプラスチック製部材の構成を限定するものであるから、特許請求の範囲の減縮を目的とするものである。
　
イ　訂正事項５は、願書に添付した明細書の段落【００７５】〜【００７７】及び図３、図４の記載からみて、また、訂正事項６は、同じく【００３９】、【００４０】、【００４２】、【００４５】、【００５０】、【００５２】、【００６７】及び【００６８】の記載からみて、願書に添付した明細書、特許請求の範囲又は図面に記載した事項の範囲内の訂正であり、訂正事項５及び６は、実質上特許請求の範囲を拡張し、又は変更するものではない。
　　　
ウ　よって、請求項９に係る訂正事項５及び６は、特許法第１２０条の５第２項ただし書第１号に掲げる事項を目的とし、同法第１２０条の５第９項で準用する同法第１２６条第５項及び第６項の規定に適合するものである。
　
エ　請求項９に係る訂正事項５及び６の訂正により訂正される請求項１０及び１１についても同様である。
　
（４）　訂正事項７及び８について
ア　訂正事項７は、訂正前の請求項１２において特定されていた内側ラベル部材の構成を限定するものであるから、特許請求の範囲の減縮を目的とするものである。
　
イ　訂正事項７は、願書に添付した明細書の段落【０１２４】及び図１１の記載からみて、訂正事項８は、同じく段落【０１３７】の記載からみて、願書に添付した明細書、特許請求の範囲又は図面に記載した事項の範囲内の訂正であり、訂正事項７及び８は、実質上特許請求の範囲を拡張し、又は変更するものではない。
　　　
ウ　よって、請求項１２に係る訂正事項７及び８は、特許法第１２０条の５第２項ただし書第１号に掲げる事項を目的とし、同法第１２０条の５第９項で準用する同法第１２６条第５項及び第６項の規定に適合するものである。
　
３　むすび
　以上のとおりであるから、本件訂正請求による訂正は、特許法第１２０条の５第２項ただし書第１号に掲げる事項を目的とするものであり、かつ、同条第９項において準用する同法第１２６条第５項及び第６項の規定に適合するので、訂正請求書に添付された訂正特許請求の範囲のとおり、訂正後の請求項［１〜３］、［５〜７］、［９〜１１］、１２について、訂正することを認める。
第３　本件発明
　
　上記第２のとおり、本件訂正請求による訂正は認められるので、本件特許の請求項１ないし１２に係る発明（以下、それぞれ「本件発明１」ないし「本件発明１２」という。）は、令和２年９月２８日提出の訂正請求書に添付された訂正特許請求の範囲の請求項１ないし１２に記載された事項により特定される以下のとおりのものである。
　
「【請求項１】
　ビール用複合容器の製造方法において、
　ポリエチレンテレフタレート製のプリフォームを準備する工程と、
　前記プリフォームの胴部の外側および底部の少なくとも一部の外側に、予め筒状に形成されたプラスチック製部材を接着することなく装着することにより、前記プラスチック製部材を前記プリフォームに対して移動又は回転せず、かつ自重で落下しない程度に密着させる工程と、
　前記プリフォームおよび前記プラスチック製部材に対してブロー成形を施すことにより、前記プリフォームおよび前記プラスチック製部材を一体として膨張させ、容器本体と、前記容器本体の口部以外の全域の外側に剥離除去可能に設けられたプラスチック製部材とを有するビール用複合容器を得る工程とを備え、
　前記プラスチック製部材は、可視光色に着色されており、前記プリフォームは、無色透明であり、
　膨張された後の前記ビール用複合容器の前記プラスチック製部材は、波長４００ｎｍ〜５００ｎｍの光に対する透過率が２０％以下であり、
　前記プラスチック製部材は、水蒸気バリア性を有し、
　前記プラスチック製部材は、遮光性樹脂が添加されることにより紫外線バリア性を有し、
　前記容器本体の内面に蒸着膜が形成され、
　容器本体の満注容量が１００ｍｌ〜２０００ｍｌであり、前記容器本体の底部は、ペタロイド底形状を有し、前記容器本体の胴部は、円筒形状を有し、
　前記ビール用複合容器の前記プラスチック製部材に、前記プラスチック製部材を前記容器本体から分離除去するための切断線が設けられ、
　前記ビール用複合容器の前記プラスチック製部材を前記容器本体から剥離除去し、前記容器本体をリサイクル可能となっていることを特徴とするビール用複合容器の製造方法。
【請求項２】
　前記プラスチック製部材は、前記プリフォームに対して収縮する作用をもつ外側収縮部材であることを特徴とする請求項１記載のビール用複合容器の製造方法。
【請求項３】
　前記外側収縮部材は、熱が加えられた際、前記プリフォームに対して収縮することを特徴とする請求項２記載のビール用複合容器の製造方法。
【請求項４】
　ビール用複合容器の製造方法において、
　ポリエチレンテレフタレート製のプリフォームを準備する工程と、
　前記プリフォームの外側に、内側ラベル部材を接着することなく装着する工程と、
　前記プリフォームの胴部の外側および底部の少なくとも一部の外側であって前記内側ラベル部材の外側に、予め筒状に形成されたプラスチック製部材を接着することなく装着する工程と、
　前記プリフォーム、前記内側ラベル部材および前記プラスチック製部材に対してブロー成形を施すことにより、前記プリフォーム、前記内側ラベル部材および前記プラスチック製部材を一体として膨張させ、容器本体と、前記容器本体の外側を取り囲むように接着されることなく密着して設けられた内側ラベル部材と、前記容器本体の口部以外の全域の外側であって前記内側ラベル部材の外側に、剥離除去可能に設けられたプラスチック製部材とを有するビール用複合容器を得る工程とを備え、
　前記プラスチック製部材は、可視光色に着色されており、前記プリフォームは、無色透明であり、
　膨張された後の前記ビール用複合容器の前記プラスチック製部材は、波長４００ｎｍ〜５００ｎｍの光に対する透過率が２０％以下であり、
　前記ビール用複合容器の前記プラスチック製部材を前記容器本体から剥離除去し、前記容器本体をリサイクル可能となっていることを特徴とするビール用複合容器の製造方法。
【請求項５】
　ビール用複合容器用の複合プリフォームにおいて、
　ポリエチレンテレフタレート製のプリフォームと、
　筒状に形成されるとともに、前記プリフォームの胴部の外側および底部の少なくとも一部の外側を取り囲むように装着されたプラスチック製部材とを備え、
　前記プラスチック製部材は、前記プリフォームの外側に接着されることなく剥除去可能に密着されており、
　前記プラスチック製部材は、前記プリフォームに対して移動又は回転せず、かつ自重で落下しない程度に密着されており、
　前記プラスチック製部材は、可視光色に着色されており、前記プリフォームは無色透明で有り、
　前記プラスチック製部材は、水蒸気バリア性を有し、
　前記プラスチック製部材は、遮光性樹脂が添加されることにより紫外線バリア性を有し、
　前記プリフォームの重量は、１０ｇ〜２０ｇであることを特徴とする複合プリフォーム。
【請求項６】
　前記プラスチック製部材は、前記プリフォームに対して収縮する作用をもつ外側収縮部材であることを特徴とする請求項５記載の複合プリフォーム。
【請求項７】
　前記外側収縮部材は、熱が加えられた際、前記プリフォームに対して収縮することを特徴とする請求項６記載の複合プリフォーム。
【請求項８】
　ビール用複合容器用の複合プリフォームにおいて、
　ポリエチレンテレフタレート製のプリフォームと、
　前記プリフォームの外側を取り囲むように接着されることなく密着して設けられた内側ラベル部材と、
　筒状に形成されるとともに、前記プリフォームの胴部および底部の少なくとも一部の外側であって前記内側ラベル部材の外側を取り囲むように装着されたプラスチック製部材とを備え、
　前記プラスチック製部材は、前記プリフォームおよび前記内側ラベル部材の外側に接着されることなく剥離除去可能に密着されており、
　前記プラスチック製部材は、可視光色に着色されており、前記プリフォームは、無色透明であることを特徴とする複合プリフォーム。
【請求項９】
　ビール用複合容器において、
　ポリエチレンテレフタレート製の容器本体と、
　前記容器本体の口部以外の全域の外側に、接着されることなく剥離除去可能に密着して設けられた、周方向に貼り合わせ部を有しないプラスチック製部材とを備え、
　前記容器本体および前記プラスチック製部材は、ブロー成形により一体として膨張されており、
　前記プラスチック製部材は、可視光色に着色されており、前記容器本体は、無色透明であり、
　前記プラスチック製部材は、波長４００ｎｍ〜５００ｎｍの光に対する透過率が２０％以下であり、
　前記プラスチック製部材は、水蒸気バリア性を有し、
　前記プラスチック製部材は、遮光性樹脂が添加されることにより紫外線バリア性を有し、
　前記プラスチック製部材の厚みが５μｍ〜５００μｍであり、
　前記容器本体の内面に蒸着膜が形成され、
　容器本体の満注容量が１００ｍｌ〜２０００ｍｌであり、前記容器本体の底部は、ペタロイド底形状を有し、前記容器本体の胴部は、円筒形状を有し、
　前記プラスチック製部材に、前記プラスチック製部材を前記容器本体から分離除去するための切断線が設けられ、
　前記プラスチック製部材を前記容器本体から剥離除去し、前記容器本体をリサイクル可能となっていることを特徴とするビール用複合容器。
【請求項１０】
　前記プラスチック製部材は、収縮する作用をもつ外側収縮部材であることを特徴とする請求項９記載のビール用複合容器。
【請求項１１】
　前記外側収縮部材は、熱が加えられた際、収縮することを特徴とする請求項１０記載のビール用複合容器。
【請求項１２】
　ビール用複合容器において、
　ポリエチレンテレフタレート製の容器本体と、
　前記容器本体の周方向全域の外側を取り囲むように接着されることなく密着して設けられた内側ラベル部材と、
　前記容器本体の口部以外の全域の外側であって前記内側ラベル部材の外側に、接着されることなく剥離除去可能に密着して設けられたプラスチック製部材とを備え、
　前記プラスチック製部材は、前記内側ラベル部材の外側に接着されることなく取付けられており、
　前記容器本体、前記内側ラベル部材および前記プラスチック製部材は、ブロー成形により一体として膨張されており、
　前記プラスチック製部材は、可視光色に着色されており、前記容器本体は、無色透明であり、
　前記プラスチック製部材は、波長４００ｎｍ〜５００ｎｍの光に対する透過率が２０％以下であり、
　前記プラスチック製部材および前記内側ラベル部材を前記容器本体から剥離除去し、前記容器本体をリサイクル可能となっていることを特徴とするビール用複合容器。」
　
第３　特許異議申立書に記載した理由の概要
　
　令和１年１０月２８日に異議申立人が提出した特許異議申立書（以下、「特許異議申立書」という。）に記載した理由の概要は次のとおりである。
　
１　申立理由（特許法第２９条第２項：甲１に基づく進歩性）
　
　本件特許の請求項１ないし１２に係る発明は、下記の甲第１号証に記載された発明、甲第２号証ないし甲第６号証に記載の周知技術及び甲第７号証の記載事項に基づいて、その出願前にその発明の属する技術の分野における通常の知識を有する者（以下、「当業者」という。）が容易に発明をすることができたものであるから、本件特許の請求項１ないし１２に係る特許は、同法第１１３条第２号に該当し、取り消されるべきものである。
　
２　証拠方法
　
　甲第１号証　　：　特表２００４−５３２１４７号公報
　甲第２号証　　：　指定ＰＥＴボトルの自主設計ガイドライン、ＰＥＴボトルリサイクル推進協議会、１９９２年１０月制定、２０１８年１月４日改訂
　甲第３号証　　：　特開２００４−３５２３２５号公報
　甲第４号証　　：　特開２００３−１４６３３４号公報
　甲第５号証　　：　食品保存便覧、日本食品工業倶楽部、１９９２年６月１５日、ｐ．１０１１
　甲第６号証　　：　食品包装便覧、社団法人　日本包装技術協会、１９８８年３月１日、ｐ．１６５５
　甲第７号証　　：　特開昭５９−５０３５号公報
　表記については、特許異議申立書の記載にしたがった。以下、甲第１号証から甲第７号証については、それぞれ「甲１」から「甲７」という。
　
第４　取消理由＜決定の予告＞の概要
　
　本件訂正請求前の請求項１ないし３、５ないし７、９ないし１２に係る特許に対して、当審が令和２年７月２０日に特許権者に通知した取消理由＜決定の予告＞は、概ね次のとおりである。
　
１（進歩性）本件特許の請求項１ないし３、５ないし７、９ないし１１に係る発明は、本件特許の出願前に日本国内又は外国において、頒布された下記の甲第１号証に記載された発明及び甲第２ないし６号証に記載の技術事項に基づいて、本件特許の出願前に当業者が容易に発明をすることができたものであるから、その特許は、同法第１１３条第２号に該当し、取り消されるべきものである。
２（進歩性）本件特許の請求項１２に係る発明は、本件特許の出願前に日本国内又は外国において、頒布された下記の甲第３号証に記載された発明に基づいて、本件特許の出願前に当業者が容易に発明をすることができたものであるから、その特許は、同法第１１３条第２号に該当し、取り消されるべきものである。
　
第５　上記取消理由＜決定の予告＞についての判断
　
　当合議体は、以下述べるように、上記取消理由＜決定の予告＞の理由１（甲１に基づく進歩性）には、理由があり、理由２（甲３に基づく進歩性）には理由がないと判断する。
１　各甲号証の記載事項等
（１）　甲１の記載事項
　甲１には以下の記載がある。下線については、当審において付与している部分がある。
　
ア　「【特許請求の範囲】
【請求項１】
プレフォームの外面の少なくとも一部の上にラベルスリーブを配置してスリーブ付きプレフォームを製造せしめ；
そして前記スリーブ付きプレフォームをブロー成形してラベル付き容器を製造することを含んでなる、ブロー成形プロセスを用いてラベル付き容器を製造する方法。
　・・・　
【請求項２０】
請求項１に記載の方法に従って製造されたラベル付き容器。
　・・・
【請求項２２】
容器の製造のためにブロー成形法に有用なプレフォーム；及びプレフォームの外面の少なくとも一部の上にフィットしたラベルスリーブを含んでなる、ラベル付き容器の製造に使用できるスリーブ付きプレフォーム。
　
イ　「【技術分野】
【０００１】
本発明は一般的にはラベル付き容器の製造方法、更に詳しくはストレッチ(又は延伸）ブロー成形プロセス（ｓｔｒｅｔｃｈ　ｂｌｏｗ　ｍｏｌｄｉｎｇ　ｐｒｏｃｅｓｓ）を用いてラベル付き容器を製造する方法に関する。
【背景技術】
【０００２】
多くの異なったラベリング法がボトル業界で見られる。特に炭酸飲料の業界で最もよく見られるものの１つは貼り付けラベル（ｇｌｕｅ−ｏｎ　ｌａｂｅｌ）である。これらは、ボトルの周囲に巻き付けて、一つの縁で貼り付けられた装飾／ラベル付きの平坦なフィルムである。」
　
ウ　「【発明が解決しようとする課題】
【０００８】
従って、本発明の目的は、ストレッチブロー成形プロセスを用いたラベル付き容器の製造方法を提供することにある。
【０００９】
本発明の別の目的は、ストレッチブロー成形プロセスを用いて製造されたラベル付き容器を提供することにある。
【００１０】
本発明の更に別の目的は、ストレッチブロー成形プロセスを用いてラベル付き容器を製造するのに有用なスリーブ付きプレフォームを提供することにある。
【００１１】
本発明の別の目的は、ストレッチブロー成形プロセスを用いたラベル付き容器のより費用がかからず且つより簡便な製造方法を提供することにある。
【課題を解決するための手段】
【００１２】
これら及びその他の目的は、
ラベルスリーブをプレフォームの外面の少なくとも一部の上に配置してスリーブ付きプレフォームを形成し、前記スリーブ付きプレフォームをストレッチブロー成形してぴったりとフィットしたラベルを有するラベル付き容器を形成する
　
エ　「【００１６】
更に別の側面において、本発明は、容器を製造するためにブロー成形法において使用できるプレフォーム及び前記プレフォームの外面の少なくとも一部の上にフィットしたラベルスリーブから製造されるスリーブ付きプレフォームを提供する。スリーブ付きプレフォームは、本発明の方法に従って製造されるラベル付き容器の製造に有用である。
【００１７】
本発明において有用な好ましいラベルスリーブは、容器を製造するためのプレフォームのブロー成形前にプレフォームの上にフィットするように作られたゆがみ印刷ラベルスリーブである。
このラベルスリーブは、インフレート用プレフォームと共に膨張する配向又は非配向（ｕｎｏｒｉｅｎｔｅｄ）ポリマーフィルム原料から製造する。
　
オ　「【００２０】
この方法で使用するラベルスリーブには、当業者によく知られた方法を用いて所望のラベルデザインを印刷しなければならない。好ましくは、ブロー成形プロセスの間にフィルムが受けるであろう膨張を補正するゆがみ印刷を使用する。膨張は場所によって異なる、即ち、容器のネックは側壁よりも膨張が少ないので、ゆがみ印刷パターンはそれに応じて変化させなければならないであろう。印刷は通常、フラットフィルム上で行い、スリーブチューブを作るにはフラットフィルムの両縁をつなぎ合わせなければならない。しかし、インフレート法を用いてフィルムを形成する場合には、スリッチング（ｓｌｉｔｔｉｎｇ）及び再接着プロセスを経ずに直接チューブに印刷することが可能である。
特定用途のための最も望ましいラベルスリーブ印刷法は、所望のパターン及び容器の製造に使用できる装置の型によって異なるであろう。更に、インフレートフィルムは、印刷の必要はなく、機能添加剤が望ましい用途に適している。例えば、着色剤又は顔料をポリマーに添加して、着色ラベルスリーブを作成できる。同様に、ＵＶ遮断コンセントレート、バリヤー層又は他の機能添加剤を、ラベルスリーブの作成に使用するポリマーに取り入れることができる。同様に、顔料添加チューブをプレフォームの周囲にフィットさせて、容器の色全体を変化させ、次いで、顔料添加チューブの上部を覆うように従来の貼り付けラベルを適用することができる。
　
カ　「【００２３】
好ましい実施態様において、ラベルスリーブの直径はプレフォームの直径よりもわずかに大きい。好ましくは、プレフォームの上を容易にスライドできる程度に少しだけ大きい。直径が大きすぎると、スリーブを適切な場所に保持するのにある種の割送り又は位置あわせ装置を使用できるのでなければ、スリーブは一部の場所で延伸むらができる。
　・・・
【００２５】
ラベルスリーブは、プレフォームの上に配置させる
　
キ　「【００２７】
本発明において使用するプレフォームは、ポリエステル、ポリオレフィン及びポリカーボネートのような従来の成形用ポリマーから形成する。
【００２８】
ポリエステルは、本発明において使用できる好ましいポリマーである。適当なポリエステルは、好ましくはテレフタル酸又はイソフタル酸、より好ましくは少なくとも約５０モル％のテレフタル酸、一部の実施態様では、好ましくは少なくとも７５モル％のテレフタル酸を含んでなるジカルボン酸成分並びにエチレングリコール、シクロヘキサンジメタノール、ジエチレングリコール、ブタンジオール及びそれらの混合物から選ばれた少なくとも１種のジオールを含んでなるジオール成分を含む。
　
ク　「【００３３】
プレフォームは、当業界で公知の方法によって、例えば射出成形によって又はまれにはパイプ押出もしくはスエージングによって形成する。プレフォームはまず、Ｓｉｄｅｌ（商標）型の機械のような赤外線ランプのバンクを用いて、所望のブロー温度
（ＰＥＴプレフォームの場合には通常は約１００℃前後）
本発明の場合には、別の工程を加えなければならない。ここで、プレフォームが成形ホイールに入る直前の任意の時点で、プレフォームスリーブをプレフォームを覆うようにスライドさせる。
【００３４】
ブロー成形法においては、プレフォーム及びスリーブはブロー金型に入り、容器の最終形状にインフレートされる。
プレフォームが空気圧及び延伸ロッドによって膨張するにつれて、ラベルスリーブも膨張する。ラベルは金型壁にぶつかるまで延伸するので、最終的にはラベルは製品の最終形状を取るであろう。
　
ケ　「【００３６】
ラベルは種々のポリマーから作ることができるので、現位置輪郭フィットラベルの使用はまた、他の機能的可能性を追加する。例えばラベルは容器の透過性の低下を促進するためにＥＶＯＨ又はメタジレンジアミン（「ＭＸＤ６」）のような高バリヤーポリマーから作ることができる（単層又は共押出により多層として）。
ＰＥＴボトルにＰＥＴラベルを用いた試験はかなりの密着を生じたが、ポリプロピレンラベルはＰＥＴボトルには貼り付こうとしなかった。密着が必要か否かは通常、リサイクルのための剥離が課題であるか否かによって決まる。
　
コ　「【００３９】
例１
ＰＥＴスリーブを用いた２リットルボトル用輪郭ラベリング
インフレート法を用いて、わずかに配向されたＰＥＴ　１２８２２フィルムのスリーブを作った。これらのスリーブは、直径が１．４４インチであり、呼称厚さが４ｍｉｌであった。ラベリングをシミュレートするために、マジックインキを用いて試験前のスリーブにグリッドパターンを描いた。使用したプレフォームは、外径１．１５インチの２リットルボトル用プレフォームである。スリーブは、プレフォームよりもかなり大きかったが、これは試験時に使用できる唯一のスリーブ直径であった。
【００４０】
実験室規模のＲＨＢユニットを用いて、再加熱ブロー成形を行った。
プレフォームはまず
約１００℃の温度に加熱した
２５秒間の均熱処理時間を用いて、熱プレフォームの熱をフィルムに移した。
【００４１】
金型から取り出すと、ラベルフィルムはボトルをほとんど完全に包み且つ輪郭の全てにタイトフィットしているのがわかった。最初のスリーブに描いたグリッドパターンは、ボトル中の延伸量（即ち、ネック部では少なく、側壁部では多い）に比例して膨張したので、ゆがみ印刷の補正がどの程度必要かがわかった。延伸後のラベルフィルムは、延伸量に応じて名目上約１／２ｍｉｌ又はそれ以下であった。
【００４２】
例２
ポロプロピレンスリーブを用いた２リットルボトル用輪郭ラベル
前記例１と同様な手法に従って、ＰＥＴの代わりにポリプロピレンを用いてインフレート法によってスリーブを作った。ポリプロピレンは、低コスト及び低密度のために既にラベルに最適の材料とされているので望ましい。ポリプロピレンは、呼称厚さ３ｍｉｌ及び幅１．６インチとした。
例１と同様にボトルをブロー成形後、フィルムはボトルの輪郭にぴったりとフィットしているのがわかった。しかし、ＰＥＴラベルフィルムとは異なり、このフィルムはベースボトルに密着しなかったので、リサイクルの間に容易に剥がすことができる。
　
サ　「【００４３】
例３
ＩＲ加熱前にスリーブを加える、ＰＥＴを用いた１．５リットルの詰め替え可能ボトル用輪郭ラベリング
例１に使用したＰＥＴスリーブを、呼称外径１．２５インチの１．５リットル用プレフォームに適用した。しかし、このプレフォーム及び金型の組み合わせは異なる再加熱ブロー成形機に取り付けたので、方法は少し変更しなければならなかった。
実験時には、加熱とブロー成形の間に、プレフォームスリーブを取り付けるのに充分な時間、機械を停止させる方法がなかった。従って、プレフォームスリーブは、赤外線加熱工程を始開始し且つスリーブが加熱及びブロー成形プロセス全体を経る前にプレフォームの上に配置した。
加熱工程の間に、スリーブはプレフォームの周囲で下に向かってわずかに収縮し、それによってスリーブとプレフォームとの密着が増したことが観察された。
　
シ　「【図２】
」
（２）　甲１に記載された発明
　甲１の上記（１）アないしシの記載からみて、甲１には、上記（１）アの請求項１に記載されたラベル付き容器の製造方法の一態様として、次のとおりの発明（以下、「甲１発明Ａ」という。）が記載されていると認める。
　
＜甲１発明Ａ＞　
「ラベル付き容器の製造方法において、
　ＰＥＴ製のプレフォームを準備する工程と、
　前記プレフォームの胴部の外側および底部の少なくとも一部の外側に、予め筒状に形成されたラベルスリーブを配置する工程と、
　前記プレフォーム及び前記ラベルスリーブをブロー金型に入れ、前記プレフォームを空気圧及び延伸ロッドによって膨張させるにつれて前記ラベルスリーブも膨張させて、ラベル付き容器を得るブロー成形工程とを有する製造方法であって、
　得られたラベル付き容器は、ラベルを容器から剥がすことで容器をリサイクル可能としてなり、
　ラベルは容器をほとんど完全に包み且つ輪郭にぴったりとフィットしている、
ラベル付き容器の製造方法。」
　
　また、甲１には、甲１発明Ａに用いられるプレフォームとして、次のとおりの発明（以下、「甲１発明Ｂ」という。）が記載されていると認める。
　
＜甲１発明Ｂ＞
「ラベル付き容器をブロー成形により製造するためのラベルスリーブ付きプレフォームであって、
　ＰＥＴ製のプレフォームと、前記プレフォームの胴部の外側および底部の少なくとも一部の外側に配置された、予め筒状に形成されたラベルスリーブとからなり、
　ブロー成形してラベル付き容器としたときに、ラベルを容器から剥がすことで容器をリサイクル可能としてなる、
ラベルスリーブ付きプレフォーム。」
　
　さらに、甲１発明Ａの製造方法で製造されたラベル付き容器として、次のとおりの発明（以下、「甲１発明Ｃ」という。）が記載されていると認める。
　
＜甲１発明Ｃ＞
「ラベル付き容器であって、
　該ラベル付き容器は、ＰＥＴ製のプレフォームの胴部の外側および底部の少なくとも一部の外側に、予め筒状に形成されたラベルスリーブを配置し、前記プレフォーム及び前記ラベルスリーブをブロー金型に入れ、前記プレフォームを空気圧及び延伸ロッドによって膨張させるにつれて前記ラベルスリーブも膨張させて得るものであり、
　ラベルは容器をほとんど完全に包み且つ輪郭にぴったりとフィットしており、
　ラベルを容器から剥がすことで容器をリサイクル可能としてなる、
　ラベル付き容器。」
　
（３）　甲２の記載事項
　甲２には以下の記載がある。
　 
ア　「指定ＰＥＴボトルの自主設計ガイドライン　２０１８年（平成３０年）１月４日改訂
ＰＥＴボトルリサイクル推進協議会」（（５−１）頁）
　
イ　「
」（（５−２）頁）
ウ　「
」（（５−３）頁）
エ　「３．原則基準
指定ＰＥＴボトル本体及び付属包材は、表１に示す原則基準に適合していることが必要です。・・・
」（（５−４）頁〜（５−５）頁）
　
（４）　甲３の記載事項
　甲３には、以下の記載がある。なお、下線については、当審において付与している。
　
ア　「【特許請求の範囲】
【請求項１】
胴部（２１）及び自立させるための接地部（２２１）が形成された底面（２２）を有する光透過性容器（２）と、前記容器（２）の胴部（２１）及び底面（２２）を被覆可能な
遮光性の熱収縮性筒状ラベル（３）とを備え、前記筒状ラベル（３）が、熱収縮により前記容器（２）の胴部（２１）に装着され、
　
イ　【０００１】
【発明の属する技術分野】
本発明は、紫外線などの光線透過をより確実に防止するため、容器の胴部及び底面が遮光性ラベルで被覆された遮光容器及び該遮光容器の製造方法に関する。」
　
ウ　「【０００５】
【発明が解決しようとする課題】
しかしながら、かかる公報記載の手段では、容器のリサイクル時に、筒状ラベルの除去に加えて、紫外線遮断インキを剥離しなければならず、簡単に容器をリサイクルすることができないという問題点がある。
また、搬送時などの擦れによって、底面に塗布された紫外線遮断インキ層が部分的に剥離する虞がある。また、上記公報記載の遮光容器を製造する際には、筒状ラベルの装着工程に加えて、容器の底面にインキを塗布しなければならず、特に、底面の形状が複雑な容器にインキを塗工することは困難である。
【０００６】
そこで、本発明は、光透過性容器の胴部及び底面からの光透過を防止でき、リサイクル時には、この光遮断手段を簡易に除去することができる遮光容器を提供することを課題とする。
また、本発明は、容器の胴部及び底面を遮光性ラベルで被覆した遮光容器を簡易に製造することができる遮光容器の製造方法を提供することを課題とする。」
　
エ　「【００１７】
具体的には、
容器２は、例えば、ポリエチレンテレフタレート製容器（いわゆるＰＥＴボトル）などの合成樹脂製成形容器、ガラス製などの透明容器からなり、
　
オ　「【００２０】
容器２に装着する前（熱収縮前）の筒状ラベル３は、図３及び図４に示すように、容器２の胴部２１に挿入脱可能な内径で、且つ熱収縮後に少なくとも容器２の胴部２１及び底面２２を被覆可能な長さのラベル基材５の両端部５ａ，５ａを、センターシールし、且つこのセンターシール部４の近傍に易開裂手段としてミシン目６が形成された筒状体からなる。・・・」
　
カ　「【００２６】
上記構成からなる
遮光容器１は、底面２２まで遮光性のラベル３で被覆されているので、紫外線などの光透過を防止することができる。
可視光線の遮光性の目安は、例えば、内容物がビールやビタミン剤などの場合、波長４００〜６００ｎｍの最大透過率が２０％以下、
また、
光遮断手段が、１つの筒状ラベル３によって容器２を被覆するものであるため、リサイクル時には、既知の胴部ラベル付き容器と同様に、消費者は、ミシン目６などを利用して、ラベル３を切り取りこれを簡単に除去することができる。
　
キ　「【００２８】
次に、上記筒状ラベル３を容器２に装着する方法及び遮光容器１の製造方法について説明する。
まず、ラベル基材５が連続的に繋がったラベル基材連続体を引出しながら、両端部５ａをセンターシールし、これを巻き取ることにより、筒状ラベルが連続的に繋がった筒状ラベル連続体を得る。
この筒状ラベル連続体を、ラベラーなどのシュリンク装着機にセットし、所定長さに切断して１つの筒状ラベル３とし、コンベアなどの搬送装置から送られてくる透明容器２に挿入する。」
　
ク　「【００３４】
（ラベル基材の他の実施形態）
上記実施形態に於いて、ラベル基材５は、白色系フィルム７に黒色系印刷層８が設けられているので、上記の効果を奏するが、黒色系印刷層８が設けられていない白色系フィルム７を用いてラベル基材５を構成してもよい。また、ラベル基材５を構成するフィルムは、白色系フィルム７に限られず、例えば、特開２０００２−６８２０２号の第４頁［００２７］−［００３０］に例示されているような、赤色、濃青などを呈する各種の着色剤や紫外線吸収剤などの紫外線遮断剤が適宜配合されて製膜された遮光性フィルムを用いてラベル基材５を構成してもよい。また、必要に応じて、かかる遮光性フィルムに、上記実施形態の如く、裏面及び／又は底面被覆領域３４相当表面に適宜黒色系印刷層８を設けてラベル基材５を構成してもよい。
さらに、透明なフィルムの裏面及び／又は表面に、白色、黒色、濃青などを呈する着色剤や紫外線吸収剤などの紫外線や可視光線の遮断剤が配合された遮光印刷層が設けられた遮光性フィルムを用いてもよく、また、透明なフィルムと紫外線等遮断剤の配合されたフィルムとが積層された積層フィルムなどを用いてもよい。尚、紫外線のみを遮断する場合には、紫外線吸収剤などを含有した実質的に無色の透明フィルムでラベル基材５を構成してもよい。
また、上記実施形態では、フィルム７の表面７ｂに意匠印刷層９が設けられているが、意匠印刷層９を裏面７ａに設けるなどしてもよい。
　　
ケ　「【００３８】
【発明の効果】
以上のように、
本発明に係る遮光容器は、紫外線などの透過をより確実に防止でき、リサイクル時には、筒状ラベルを除去するだけで、光透過性容器を分離できる。
　
コ　「【図３】
」
（５）　甲３に記載された発明
　上記（４）アないしオには、内容物がビールやビタミン剤である場合の遮光容器であって、その遮光性の熱収縮性筒状ラベルの他の実施形態として例示されている一態様として、次のとおりの発明（以下、「甲３発明」という。）が記載されていると認める。
　
＜甲３発明＞
「ビールやビタミン剤用の遮光容器において、
　光透過性のポリエチレンテレフタレート製の容器と、
　光透過性のポリエチレンテレフタレート製の容器の胴部及び底部が遮光性の熱収縮性筒状ラベルで被覆された遮光容器であって、
　遮光性の熱収縮性筒状ラベルが、熱収縮により容器の胴部に装着されるものであり、
　遮光性の熱収縮性筒状ラベルの可視光線の遮光性の目安が、波長４００〜６００ｎｍの最大透過率が２０％以下であり、
　遮光性の熱収縮性筒状ラベルが、熱収縮性筒状ラベルのフィルムの裏面側に意匠印刷層が設けられたものであって、リサイクル時には、遮光性の熱収縮性筒状ラベルを光透過性のポリエチレンテレフタレート製の容器から除去可能である、
　遮光容器。」
（６）　甲４の記載事項
　甲４には、以下の記載がある。なお、下線については、当審において付与している。
　
ア　「【発明の詳細な説明】
【０００１】
【発明の属する技術分野】
本発明は、ビール、発泡酒等の発泡アルコール飲料用ポリエステル樹脂製容器に関するものである。
　
イ　「【０００２】
【従来の技術】従来、飲料、食品、エアゾール、化粧品容器等の分野では、ポリエチレンテレフタレート樹脂製容器（以下、ＰＥＴ容器と略記することがある）に代表されるポリエステル樹脂製容器が一般に用いられている。このようなＰＥＴ容器は、取り扱いが容易であり、ファッション性にも優れていることから、ビール、発泡酒等の発泡アルコール飲料用容器として使用することが検討されている。ところが、前記ＰＥＴ容器は、金属容器やガラス容器に比べて酸素、炭酸ガス等の気体や光線を透過しやすいため、発泡アルコール飲料用容器として使用した場合に、炭酸ガスの透過により、ビール、発泡酒等に含まれるガスボリュームが低減したり、酸素、光線の透過によりアルコール飲料としての風味が変化する等の問題がある。
【０００３】前記問題を解決するために、内面にアモルファス炭素等を含む被膜を形成したＰＥＴ容器が提案されている。前記被膜は、例えば、中空の処理室に前記ＰＥＴ容器を配置し、該ＰＥＴ容器口部から該ＰＥＴ容器内部に原料ガス導入管を挿入して、該処理室及びＰＥＴ容器内部を真空に排気した後、原料ガスを供給すると共に高周波またはマイクロ波電圧を印加することによってプラズマを発生させる方法により形成することができる。前記ＰＥＴ容器は、内面に前記被膜を形成することにより、酸素や炭酸ガス等に対するガスバリヤ性、遮光性が高くなり、前記発泡アルコール飲料に適した内容物保存性が得られるものと考えられる。」
　
ウ　「【０００６】
【発明が解決しようとする課題】本発明は、かかる不都合を解消して、優れたリサイクル性と、ビール、発泡酒等の発泡アルコール飲料に適した内容物保存性とを備える発泡アルコール飲料用ポリエステル樹脂製容器を提供することを目的とする。」
　
エ　「【００１５】また、前記
遮光フィルムは、波長３２０〜４００ｎｍの紫外線と、波長４００〜５００ｎｍの可視光線との透過を８０％以上、より好ましくは９０％以上遮断することにより、前記被膜の着色と相俟って、ポリエステル樹脂製容器に前記発泡アルコール飲料に適した遮光性を付与することができる。
　
オ　「【００４０】遮光フィルム８は、前記波長範囲の紫外線と可視光線との透過を９５％以上遮断するために、ポリスチレン、ポリエステル、ポリウレタン、ポリカーボネート、ポリ塩化ビニリデン等の公知の樹脂フィルムに、着色顔料等による印刷を施したもの、着色顔料または紫外線吸収剤等を配合したもの等を用いることができる。前記紫外線吸収剤としては、ベンゾトリアゾール系等、それ自体公知の紫外線吸収剤を１種または２種以上ブレンドして用いることができる。
【００４１】また、遮光フィルム８をポリエステル樹脂製容器１の外面に取着する方法としては、ポリエステル樹脂製容器１を前記樹脂フィルムで被覆した後、該樹脂フィルムを加熱収縮させるシュリンク包装による方法、接着またはインモールドによる方法等を採用することができる。しかし、ポリエステル樹脂製容器１をリサイクルに供する際に、遮光フィルム８の取り外しが容易であることから、前記シュリンク包装による方法が適している。」
　
カ　「【００５０】
【実施例１】本実施例では、まず、内容積３５０ｍｌのＰＥＴボトル（ポリエステル樹脂製容器）１を、図２示のプラズマＣＶＤ装置１１の処理室４内に収納した。次に、処理室４及びＰＥＴボトル１の内部を減圧すると共に、ＰＥＴボトル１内に原料ガスとして容器表面積当たり０．４ｓｃｃｍ／ｃｍ2（１６０ｍｌ／分）のアセチレンガスを供給し、ＰＥＴボトル１の内部を１０Ｐａの真空度に維持しつつ、２．４５ＧＨｚ、３８０Ｗのマイクロ波を、０．６秒間照射することにより、内面にアモルファス炭素被膜が形成されたＰＥＴボトル１を製造した。前記被膜の厚さは４００オングストロームであった。
【００５１】次に、前述の方法により、前記被膜が形成されたペットボトル１のΔｂ*値と、酸素や炭酸ガス等に対するガスバリヤ性の指標となる酸素透過率とを測定したところ、Δｂ*値は３、酸素透過率は０．００３ｃｃ／日であった。前記酸素透過率は、前記被膜を形成していない従来のペットボトル（参考例）の０．０３ｃｃ／日に比較して格段に低くなっていることが明らかである。結果を表１に示す。
【００５２】次に、前記被膜が形成されたＰＥＴボトル１の外面に、ベンゾトリアゾール系紫外線吸収剤を含む膜厚６０μｍのポリスチレンフィルムに着色顔料による印刷が施された遮光フィルム８を、シュリンク包装による方法を用いて取り付けた。前記被膜が形成されたＰＥＴボトル１は、遮光フィルム８の取付け前には３８０ｎｍの紫外線の透過率が約４５％であったが、遮光フィルム８の取付け後には前記透過率が５％未満になった。
【００５３】次に、前記被膜が形成されたＰＥＴボトル１に、ビールと発泡酒とを充填し、口部３にキャップ９を螺着して密封した。キャップ９としては、ポリプロピレンからなり内面側にアスコルビン酸・亜硫酸系酸素吸収剤を含むガスバリヤ材１０を備えている。
【００５４】前記ビールと発泡酒とを充填したＰＥＴボトル１を室温で６か月間保存した後、内容物保存性について評価した。結果を表１に示す。
【００５５】また、参考例として前記被膜を形成していない従来のＰＥＴボトル１について、本実施例と全く同一にして内容物保存性を評価した。結果を併せて表１に示す。
【００５６】次に、前記被膜が形成されたＰＥＴボトル１から遮光フィルム８を取り外した後、該ＰＥＴボトル１を粉砕し、押出機を用いてチップ状として、再生ポリエチレンテレフタレート樹脂を製造した。前記再生ポリエチレンテレフタレート樹脂のチップは着色が極めて淡く、実用上問題なくポリエチレンテレフタレート繊維の製造に用いることができ、前記被膜を形成していない従来の回収ＰＥＴボトル１を粉砕し、押出機を用いてチップ状とした再生ポリエチレンテレフタレート樹脂と同等のリサイクル性を備えていることが確認された。」
　
キ　「
」（図１）
（７）　甲５の記載事項
　甲５には、以下の記載がある。
　
　「（２）日光臭
　ビールが日光に晒されると，「日光臭」と称する特有の臭気が生じる。・・・
イ）由来
　ビール日光臭の生成メカニズムは，ホップ苦味成分であるイソフムロン（Isohumulon）が日光により解裂し，それがタンパク質等の含硫成分の光変性により生じたＳＨラジカルと反応し，日光臭の原因物質である３−メチル，２−ブテン，１−チオール（3-methyl-2-buten-1-thiol）になることがわかっている。日光臭生成に関与する光の波長についても研究がなされ，400ｎｍ〜500ｎｍであることがわかっている。
ロ）防止策
　日光臭の防止策は，400〜500ｎｍの光線を透過させないようにガラスビンを着色することである。」（１０１１頁左欄１行〜２６行）
　
（８）　甲６の記載事項
　甲６には、以下の記載がある。
　
　「３）光線による変質
　瓶詰ビールを直射日光に曝したり，倉庫や店頭のショウケース内の蛍光灯に長時間曝すと，動物園のスカンクが発生する臭いを連想させる変性臭（日光臭）が発生する。ビール中のホップに由来する苦味成分は波長400〜500ｎｍの光線の作用により分解して，2−メチル−2−ブテニール基を生成する。これとビール中の蛋白質などの含硫成分が光変性して生成した硫化水素とが反応して，日光臭成分の2−メチル−2−ブテン−1−チオールを生成する。」（１６５５頁１行〜１１行）
　
２　取消理由１（甲１に基づく進歩性）について
（１）　本件発明１と甲１発明Ａとの対比・判断
　甲１発明Ａの「ＰＥＴ製のプレフォーム」、「ラベルスリーブ」は、それぞれ、本件発明１の「ポリエチレンテレフタレート製のプリフォーム」、「プラスチック製部材」に相当する。
　甲１発明Ａの「ラベル付き容器」、「容器」は、それぞれ、本件発明１の「複合容器」、「容器本体」に相当する。
　甲１発明Ａの「容器」（容器本体）の胴部は、甲１の図２及び容器に関する技術常識からみて、本件発明１の「円筒形状」を有するとの特定事項を満たす。
　甲１発明Ａの「ラベルスリーブを配置する工程」は、上記１（１）クの記載からみて、本件発明１の「プリフォームの胴部の外側および底部の少なくとも一部の外側に、予め筒状に形成されたプラスチック製部材を接着することなく装着する工程」に相当する。
　甲１発明Ａの「ブロー成形工程」は、プリフォームとラベルスリーブを用いて、ラベル付き容器とする工程であるから、本件発明１の「複合容器を得る工程」との限りにおいて相当する。
　甲１発明Ａの製造方法においても、ラベルを容器から剥がすことで容器をリサイクル可能としてなるものであることから、甲１発明Ａは、本件発明１の「容器の前記プラスチック製部材を前記容器本体から剥離除去し、前記容器本体をリサイクル可能となっている」との特定事項を満たす。
　
　そこで、本件発明１と甲１発明Ａとを対比すると、
「複合容器の製造方法において、
　ポリエチレンテレフタレート製のプリフォームを準備する工程と、
　前記プリフォームの胴部の外側および底部の少なくとも一部の外側に、予め筒状に形成されたプラスチック製部材を接着することなく装着する工程と、
　前記プリフォームおよび前記プラスチック製部材に対してブロー成形を施すことにより、前記プリフォームおよび前記プラスチック製部材を一体として膨張させ、容器本体と、前記容器本体の口部以外の全域の外側に剥離除去可能に設けられたプラスチック製部材とを有する複合容器を得る工程とを備え、
　容器本体の胴部は、円筒形状を有し、
　前記複合容器の前記プラスチック製部材を前記容器本体から剥離除去し、前記容器本体をリサイクル可能となっている、複合容器の製造方法。」
の点で一致し、以下の点で相違している。
　
＜相違点１−１＞
　プリフォームに関し、本件発明１は、「無色透明であり」と特定するのに対し、甲１発明Ａは、この点を特定しない点。
　
＜相違点１−２＞
　複合容器の用途に関し、本件発明１は、「ビール用」と特定すると共に、プラスチック製部材に関し、「プラスチック製部材は可視光色に着色」されているとともに、「膨張された後の前記ビール用複合容器の前記プラスチック製部材は、波長４００ｎｍ〜５００ｎｍの光に対する透過率が２０％以下であり」と特定するのに対し、甲１発明Ａは、この点を特定しない点。
＜相違点１−３＞
　プラスチック製部材をプリフォームへ接着することなく装着する工程に関し、本件発明１は、「前記プラスチック製部材を前記プリフォームに対して移動又は回転せず、かつ自重で落下しない程度に密着させる」と特定するのに対し、甲１発明Ａは、この点を特定しない点。
＜相違点１−４＞
　プラスチック製部材に関し、さらに、本件発明１は、「水蒸気バリア性を有し」、「遮光性樹脂が添加されることにより紫外線バリア性を有し」、「前記プラスチック製部材を前記容器本体から分離除去するための切断線が設けられ」と特定するのに対し、甲１発明Ａは、これらの点を特定しない点。
＜相違点１−５＞
　容器本体に関し、本件発明１は、「前記容器本体の内面に蒸着膜が形成され」、「容器本体の満注容量が１００ｍｌ〜２０００ｍｌであり」、「前記容器本体の底部は、ペタロイド底形状を有し」と特定するのに対し、甲１発明Ａは、これらの点を特定しない点。
　以下、相違点について検討する。
　相違点１−１について
　甲１発明Ａで製造されたラベル付き容器の容器は、ラベルを容器から剥がすことでリサイクルされるものである。そして、甲２の記載によれば、リサイクルに利用されるＰＥＴボトル本体は着色しないとすることが出願時の技術常識であるから、容器のブロー成形前の材料である甲１発明Ａのプリフォームも着色しないもの、すなわち、無色透明といえる。そうすると、相違点１−１は実質上の相違点ではない。
　仮に、実質的な相違点であったとしても、リサイクルする容器を無色透明とすることは、甲２に記載の技術事項から当業者が容易に想到し得たことであるから、プリフォームを無色透明とすることもまた想到容易である。
　
　相違点１−２について
　甲１発明Ａにより製造される容器は、甲１の段落【０００２】の記載から、「炭酸飲料」に用いられるものであるところ、ビール用のペットボトル容器は出願時に知られていたことからすれば（要すれば、甲３及び甲４）、甲１発明Ａの容器について、その用途として炭酸を含む飲料であるビールの用途を想到することは容易である。
　また、「波長400ｎｍ〜500ｎｍの光がビールの日光臭の原因であること」を踏まえると（要すれば、甲５及び甲６を参照できる）、甲３及び甲４から、本件出願前に、ビール用ＰＥＴ容器において、その内容物であるビールの日光臭対策として、４００〜５００ｎｍの光に対する透過率が２０％以下のラベルを利用することは周知（以下、「周知技術１」という。）であったといえる。
　ここで、可視光線はおよそ３８０ｎｍ〜７８０ｎｍの域帯であるから、４００〜５００ｎｍの光に対する透過率が２０％以下ということは、実質的に可視光色に着色されているといえる。
　そうすると、甲１発明Ａにより製造される容器の用途として、ビール用とすることは容易であって、ビール用とするにあたり、可視光色に着色されているとともに、膨張された後のラベルを波長４００ｎｍ〜５００ｎｍの光に対する透過率が２０％以下であるものとすることもまた、格別困難であるとはいえない。
　したがって、甲１発明Ａにおいて、相違点１−２の発明特定事項を採用することは、当業者が容易に想到し得たことである。
　
　相違点１−３について
　甲１発明Ａの「プレフォーム・・・の外側に・・・ラベルスリーブを配置する工程」について、甲１には、ラベルスリーブが配置された後には、ラベルスリーブは適切な場所に保持される必要があること（上記１（１）カ）、ブロー成形される前に均熱処理時間を用いて、熱プレフォームの熱をフィルム（決定注：ラベルスリーブに相当）に移すこと（上記１（１）コ）、あるいは、ブロー金型に入れられる前の加熱時にラベルスリーブはプレフォームの周囲で収縮していることが記載されている（上記１（１）サ）。
　そうすると、甲１発明Ａの製造方法において、ラベルスリーブ（プラスチック製部材）をプレフォーム（プリフォーム）に対して適切な場所に保持させるべく、ラベルスリーブをプレフォームに対して移動又は回転せず、かつ自重で落下しない程度に密着させることは、当業者が容易に想到し得たことである。
　
　相違点１−４について
　甲１発明Ａのラベルスリーブ（プラスチック製部材）として、水蒸気バリア性を有するものとすること、及び、ＵＶ遮断コンセントレートを配合して紫外線バリア性を有するようにすることは、甲１の「ラベルは種々のポリマーから作ることができるので、現位置輪郭フィットラベルの使用はまた、他の機能的可能性を追加する。例えばラベルは容器の透過性の低下を促進するためにＥＶＯＨ又はメタジレンジアミン（「ＭＸＤ６」）のような高バリヤーポリマーから作ることができる（単層又は共押出により多層として）。」（上記１（１）ケ）、「更に、インフレートフィルムは、印刷の必要はなく、機能添加剤が望ましい用途に適している。例えば、着色剤又は顔料をポリマーに添加して、着色ラベルスリーブを作成できる。同様に、ＵＶ遮断コンセントレート、バリヤー層又は他の機能添加剤を、ラベルスリーブの作成に使用するポリマーに取り入れることができる。」（上記１（１）オ）などの記載からみて、いずれも困難なことではない。
　さらに、リサイクルのために容器本体から剥がされるプラスチック製部材に切断線を設けることは、周知（要すれば、上記１（３）エ及び上記１（４）カ参照のこと。以下、「周知技術２」という。）であるから、甲１発明Ａのラベルスリーブ（プラスチック製部材）に容器本体から分離除去するための切断線が設けることは、当該周知技術２に基づき当業者が容易に想到し得たことである。
　してみれば、甲１発明Ａのラベルスリーブが、相違点１−４に係る発明特定事項を有するようにすることは当業者が容易に想到し得たことである。
　相違点１−５について
　ガスバリア性の向上のために容器の内側に蒸着膜を形成することは、本件出願前に、当業者において周知の技術であった（要すれば、上記１（６）イ及びカを参照のこと。以下「周知技術３」という。）から、甲１発明Ａの容器において、容器本体の内面に蒸着膜を形成することは、周知技術３に基づき当業者が容易に想到し得たことである。
　また、容器本体の底部の形状としてペタロイド底形状は当業者において周知の技術であった（要すれば、１（６）キのほか特開２０１３−７５６６９号公報の【００１６】【００１８】【００２０】【００２１】図１、２を参照のこと。以下「周知技術４」という。）から、甲１発明Ａの容器において、容器本体の底部がペタロイド底形状を有するものとすることは、当業者が周知技術４に基づき容易に想到し得たことである。
　そして、甲１には、容器本体の満注容量に関して、例１において「２リットルボトル用」、例３において「１．５リットル用」なる記載があることからすれば、甲１発明Ａについても、これらの容量を包含するものと想定され、「容器本体の満注容量が１００ｍｌ〜２０００ｍｌであ」る点は、実質的な相違点でないし、仮に、実質的な相違点であったとしても、満注容量が１００ｍｌ〜２０００ｍｌの範囲にある容器本体は、例示するまでもなく一般的に知られているから、甲１発明Ａの容器において、容器本体の満注容量が１００ｍｌ〜２０００ｍｌとすることは、当業者が容易に想到し得たことである。
　してみれば、甲１発明Ａにおいて、相違点１−５に係る発明特定事項を有するようにすることは、上記周知技術３及び４に基づいて当業者が容易に想到し得たことである。
　
　よって、本件発明１は、甲１発明Ａ、甲２に記載の技術事項及び周知技術１ないし４に基づいて当業者が容易に発明をすることができたものである。
　
（２）　本件発明２及び３と甲１発明Ａとの対比・判断
　甲１には、「このラベルスリーブは、インフレート用プレフォームと共に膨張する配向又は非配向（ｕｎｏｒｉｅｎｔｅｄ）ポリマーフィルム原料から製造する。」（上記１（１）エ）との記載があるから、甲１発明Ａのラベルスリーブは、配向又は非配向ポリマーフィルムから製造されているものである。そして、配向されたポリマーフィルム原料から製造されたラベルスリーブは熱により収縮するとの技術常識を踏まえれば、当業者は、甲１発明Ａのラベルスリーブは、プリフォームに対して収縮する作用をもつ外側収縮部材であって、熱が加えられた際に、前記プリフォームに対して収縮するものと理解する。
　そうすると、本件発明１からさらに本件発明２及び３で特定する事項は、甲１発明Ａとの対比において新たな相違点とはならない。仮に、新たな相違点であったとしても、当業者が適宜選択し得る設計的事項にすぎない。
　その余の点は、上記（１）での検討のとおりであるから、本件発明２及び３は、甲１発明Ａ、甲２に記載の技術事項及び周知技術１ないし４に基づいて当業者が容易に発明をすることができたものである。
（３）　本件発明５と甲１発明Ｂとの対比・判断
　甲１発明Ｂの「ラベル付き容器」、「ラベルスリーブ付きプレフォーム」、「ＰＥＴ製のプレフォーム」は、それぞれ、本件発明５の「複合容器」、「複合プリフォーム」、「ポリエチレンテレフタレート製のプリフォーム」に相当する。
　甲１発明Ｂの「ラベルスリーブ」は、「ＰＥＴ製のプレフォームと、前記プレフォームの胴部の外側および底部の少なくとも一部の外側に配置された、予め筒状に形成されたラベルスリーブ」であるから、本件発明５の「プラスチック部材」相当し、甲１発明Ｂにおいても「筒状に形成されるとともに、前記プリフォームの胴部の外側および底部の少なくとも一部の外側を取り囲むように装着された」プラスチック部材といえる。
　甲１発明Ｂは、「ブロー成形してラベル付き容器としたときに、ラベルを容器から剥がすことで容器をリサイクル可能としてなる」ものであるから、甲１発明Ｂのラベルスリープ（プラスチック部材）は、「前記プリフォームの外側に接着されることなく剥離除去可能に密着されて」いるといえる。
　
　そうすると、本件発明５と甲１発明Ｂとは、
「複合容器用の複合プリフォームにおいて、
　ポリエチレンテレフタレート製のプリフォームと、
　筒状に形成されるとともに、前記プリフォームの胴部の外側および底部の少なくとも一部の外側を取り囲むように装着されたプラスチック製部材とを備え、
　前記プラスチック製部材は、前記プリフォームの外側に接着されることなく剥離除去可能に密着されている、
複合プリフォーム。」
　の点で一致し、以下の点で相違する。
　
＜相違点５−１＞
　ポリエチレンテレフタレート製のプリフォームに関し、本件発明５は、「無色透明であり」と特定するのに対し、甲１発明Ｂは、この点を特定しない点。
　
＜相違点５−２＞
　複合プリフォームの用途に関し、本件発明５は、「ビール用」と特定するとともに、プラスチック製部材に関し、「前記プラスチック製部材は、可視光色に着色されており」と特定するのに対し、甲１発明Ｂは、この点を特定しない点。
　
＜相違点５−３＞
　プラスチック製部材とプリフォームとの装着の程度について、本件発明５は、「前記プラスチック製部材は、前記プリフォームに対して移動又は回転せず、かつ自重で落下しない程度に密着させており、」と特定するのに対し、甲１発明Ｂは、この点を特定していない点。
＜相違点５−４＞
　プラスチック製部材に関し、さらに、本件発明５は、「水蒸気バリア性を有し」、「遮光性樹脂が添加されることにより紫外線バリア性を有し」と特定するのに対し、甲１発明Ｂは、この点を特定しない点。
＜相違点５−５＞
　プリフォームに関し、本件発明５は、「プリフォームの重量は、１０ｇ〜２０ｇである」と特定するのに対し、甲１発明Ｂは、この点を特定しない点。
　
　以下、相違点について検討する。
　相違点５−１について
　相違点５−１は上記（１）における相違点１−１と実質的に同じであるから、上記（１）の「相違点１−１について」で検討したとおりである。
　
　相違点５−２について
　甲１発明Ｂのプレフォームにより製造される容器は、甲１の段落【０００２】の記載から、「炭酸飲料」に用いられるものであるところ、ビール用のペットボトル容器は出願時に知られていたことからすれば（要すれば、甲３及び甲４）、甲１発明Ｂのラベルスリーブ付きプレフォームについて、その用途として炭酸を含む飲料であるビールの用途を想到することは容易である。
　そして、甲１発明Ｂのラベルスリーブ付きプレフォームにより製造される容器の用途をビール用とするにあたり、周知技術１を踏まえた当業者は、甲１発明Ｂのラベルスリーブについて、例えば、膨張された後のラベルを波長４００ｎｍ〜５００ｎｍの光に対する透過率が２０％以下であるような可視光色に着色されたものとすることは、格別困難であるとはいえない。
　したがって、甲１発明Ｂにおいて、相違点５−２の発明特定事項を採用することは、当業者が容易に想到し得たことである。
　
　相違点５−３について
　甲１発明Ｂのラベルスリーブ付きプレフォームについて、ブロー成形される時には、ラベルスリーブが適切な場所に保持されている必要があること（上記１（１）カ）、ブロー成形される前に均熱処理時間を用いて、熱プレフォームの熱をフィルム（決定注：ラベルスリーブに相当）に移すこと（上記１（１）コ）、あるいは、ブロー金型に入れられる前の加熱時にラベルスリーブはプレフォームの周囲で収縮してことが記載されている（上記１（１）サ）。
　してみれば、甲１発明Ｂのラベルスリーブ付きプレフォームにおいても、ラベルスリーブを適切な場所に保持されるべく、ラベルスリーブをプレフォームに対して移動又は回転せず、かつ自重で落下しない程度に密着させることは、当業者が容易に想到し得たことである。
　相違点５−４について
　相違点５−４は、上記（１）における相違点１−４において検討したのと同様に、甲１の記載から当業者が容易に想到し得たことである。
　
　相違点５−５について
　甲１発明Ｂのようなプリフォームは、通常１０ｇ〜２０ｇ程度の重さを有するものであるから（要すれば、特開２０１３−７５６６９号公報の段落【００１６】の記載を参照のこと）、この点は実質的な相違点でない。仮に、実質的な相違点であったとしても、上記相違点に係る構成は、製造する容器の大きさに応じて当業者が適宜設定し得る設計的事項である。
　よって、本件発明５は、甲１発明Ｂ、甲２に記載の技術事項及び周知技術１に基づいて当業者が容易に発明をすることができたものである。
（４）　本件発明６及び７と甲１発明Ｂとの対比・判断
　当業者は、甲１の「このラベルスリーブは、インフレート用プレフォームと共に膨張する配向又は非配向（ｕｎｏｒｉｅｎｔｅｄ）ポリマーフィルム原料から製造する。」（上記１（１）エ）との記載から、甲１発明Ｂのラベルスリーブは、プリフォームに対して収縮する作用をもつ外側収縮部材であって、熱が加えられた際に、前記プリフォームに対して収縮するものと理解する。
　そうすると、本件発明５からさらに本件発明６及び７で特定する事項は、甲１発明Ｂとの対比において新たな相違点とはならない。仮に、新たな相違点であったとしても、当業者が適宜選択し得る設計的事項にすぎない。
　その余の点は、上記（３）での検討のとおりであるから、本件発明６及び７は、甲１発明Ｂ、甲２に記載の技術事項及び周知技術１に基づいて当業者が容易に発明をすることができたものである。
　
（５）　本件発明９と甲１発明Ｃとの対比・判断
　甲１発明Ｃの「ラベル付き容器」、「ＰＥＴ製のプレフォーム」、「ラベルスリーブ」、「容器」は、それぞれ、本件発明９の「複合容器」、「ポリエチレンテレフタレート製のプリフォーム」、「プラスチック製部材」、「容器本体」に相当する。
　甲１発明Ｃは「ラベルはボトルをほとんど完全に包み且つ輪郭にぴったりとフィットして」おり、「ラベルを容器から剥がすことで容器をリサイクル可能として」いるから、甲１発明Ｃのラベル付き容器においても、本件発明９と同様に「容器本体の口部以外の全域の外側に、接着されることなく剥離除去可能に密着して設けられたプラスチック製部材とを備え」、「プラスチック製部材を前記容器本体から剥離除去し、前記容器本体をリサイクル可能となっている」との発明特定事項を満たす。
　甲１発明Ｃの「ラベル付き容器」（容器本体）の胴部は、甲１の図２及び容器に関する技術常識からみて、本件発明９の「円筒形状を有する」といえる。
　そうすると、本件発明９と甲１発明Ｃとは、
「複合容器において、
　ポリエチレンテレフタレート製の容器本体と、
　前記容器本体の口部以外の全域の外側に、接着されることなく剥離除去可能に密着して設けられたプラスチック製部材とを備え、
　前記容器本体および前記プラスチック製部材は、ブロー成形により一体として膨張されており、
　容器本体の胴部は、円筒形状を有し、
　前記プラスチック製部材を前記容器本体から剥離除去し、前記容器本体をリサイクル可能となっている、複合容器。」
　の点で一致し、以下の点で相違する。
　
＜相違点９−１＞
　容器本体に関し、本件発明９は、「無色透明であり」と特定するのに対し、甲１発明Ｃは、この点を特定しない点。
　
＜相違点９−２＞
　本件発明９は、複合容器の用途に関し、本件発明９は、「ビール用」と特定すると共に、プラスチック製部材に関し、「可視光色に着色されており」、「波長４００ｎｍ〜５００ｎｍの光に対する透過率が２０％以下であり」と特定するのに対し、甲１発明Ｃは、この点を特定しない点。
　
＜相違点９−３＞
　プラスチック製部材に関し、本件発明９は、「周方向に貼り合わせ部を有しない」と特定するのに対し、甲１発明Ｃは、この点を特定しない点。
　
＜相違点９−４＞
　プラスチック製部材に関し、さらに、本件発明９は、「水蒸気バリア性を有し」、「遮光性樹脂が添加されることにより紫外線バリア性を有し」、「前記プラスチック製部材を前記容器本体から分離除去するための切断線が設けられ」と特定するのに対し、甲１発明Ｃは、これらの点を特定しない点。
＜相違点９−５＞
　容器本体に関し、本件発明９は、「前記容器本体の内面に蒸着膜が形成され」、「容器本体の満注容量が１００ｍｌ〜２０００ｍｌであり」、「前記容器本体の底部は、ペタロイド底形状を有し」と特定するのに対し、甲１発明Ｃは、これらの点を特定しない点。
　以下、相違点について検討する。
　上記相違点９−１、相違点９−２、相違点９−４及び相違点９−５は、上記（１）における相違点１−１、相違点１−２、相違点１−４及び相違点１−５と実質的に同じであるから、上記（１）の「相違点１−１について」、「相違点１−２について」、「相違点１−４について」及び「相違点１−５について」で検討したとおりである。
　
　相違点９−３について
　甲１の段落【００２０】には、ラベルスリーブを製造する方法として、インフレート法（貼り合わせ部を有しない製造方法）が記載されているから、甲１発明Ｃにおいて、相違点９−３の発明特定事項を有するものとすることは、当業者が容易に想到し得たことである。
　よって、本件発明９は、甲１発明Ｃ、甲２に記載の技術事項及び周知技術１ないし４に基づいて当業者が容易に発明をすることができたものである。
　
（６）　本件発明１０及び１１と甲１発明Ｃとの対比・判断
　当業者は、甲１の「このラベルスリーブは、インフレート用プレフォームと共に膨張する配向又は非配向（ｕｎｏｒｉｅｎｔｅｄ）ポリマーフィルム原料から製造する。」（上記１（１）エ）との記載から、甲１発明Ｃのラベルスリーブは、プリフォームに対して収縮する作用をもつ外側収縮部材であって、熱が加えられた際に、前記プリフォームに対して収縮するものと理解する。
　そうすると、本件発明９からさらに本件発明１０及び１１で特定する事項は、甲１発明Ｃとの対比において新たな相違点とはならない。仮に、新たな相違点であったとしても、当業者が適宜選択し得る設計的事項にすぎない。
　その余の点は、上記（５）での検討のとおりであるから、本件発明１０及び１１は、甲１発明Ｃ、甲２に記載の技術事項及び周知技術１ないし４に基づいて当業者が容易に発明をすることができたものである。
　
３　取消理由２（甲３に基づく進歩性）について
（１）　本件発明１２と甲３発明との対比・判断
　甲３発明の「光透過性のポリエチレンテレフタレート製の容器」は、本件発明１２の「ポリエチレンテレフタレート製の容器本体」に相当し、甲３発明は「リサイクル時には、遮光性の熱収縮性筒状ラベルを光透過性のポリエチレンテレフタレート製の容器から除去可能である」ものであり、「容器２は、例えば、ポリエチレンテレフタレート製容器（いわゆるＰＥＴボトル）などの合成樹脂製成形容器、ガラス製などの透明容器」（上記１（４）エ）であることから、本件発明１２の「容器本体は、無色透明であり」を満足するといえる。そして、甲３発明の「ビールやビタミン剤用の遮光容器」は、光透過性のポリエチレンテレフタレート製の容器と遮光性の熱収縮性筒状ラベルからなっている容器であるから、本件発明１２の「ビール用複合容器」に相当する。
　甲３発明の「遮光性の熱収縮性筒状ラベル」は、リサイクル時には、遮光性の熱収縮性筒状ラベルを光透過性のポリエチレンテレフタレート製の容器から除去可能であって、その遮光性は、波長４００〜６００ｎｍの最大透過率が２０％以下であるから、本件発明１２の「プラスチック製部材」に相当し、本件発明１２の「可視光色に着色されており」、「波長４００ｎｍ〜５００ｎｍの光に対する透過率が２０％以下であり」を満足している。
　なお、甲３発明の「熱収縮性筒状ラベル」には「意匠印刷層」が設けられているが、当該「意匠印刷層」は、フィルムの裏面側に印刷されている層であって、フィルムと当該「意匠印刷層」は一体不可分であるから、当該「印刷意匠層」を本件発明１２の「内側ラベル部材」に相当するということはできない。
　そうすると、本件発明１２と甲３発明とは、
「ビール用複合容器において、
　ポリエチレンテレフタレート製の容器本体と、
　前記容器本体の口部以外の全域の外側に、接着されることなく剥離除去可能に密着して設けられたプラスチック製部材とを備え、
　前記プラスチック製部材は、可視光色に着色されており、前記容器本体は、無色透明であり、
　前記プラスチック製部材は、波長４００ｎｍ〜５００ｎｍの光に対する透過率が２０％以下であり、
　前記プラスチック製部材を前記容器本体から剥離除去し、前記容器本体をリサイクル可能となっている、ビール用複合容器。」
　の点で一致し、以下の点で相違する。
　
＜相違点１２−１＞
　本件発明１２は、「前記容器本体、前記内側ラベル部材および前記プラスチック製部材は、ブロー成形により一体として膨張されており」と特定するのに対して、甲３発明は、そのような特定はなく、内側ラベル部材及びプラスチック製部材である「遮光性の熱収縮性筒状ラベル」が、「熱収縮により容器の胴部に装着されるものであ」る点。
＜相違点１２−２＞
　本件発明１２は、「容器本体の周方向全域の外側を取り囲むように接着されることなく密着して設けられた内側ラベル部材」を有し、当該内側ラベル部材とプラスチック製部材との関係として、プラスチック製部材は、「内側ラベル部材の外側に、接着されることなく剥離除去可能に密着して設けられ」ているとともに「前記内側ラベル部材の外側に接着されることなく取付けられ」たとされていて、「前記内側ラベル部材を前記容器本体から剥離除去し、前記容器本体をリサイクル可能となっている」と特定されているのに対し、甲３発明は、そのような特定はない点。
　
　以下、事案に鑑み、相違点１２−２について検討する。
　甲３には、相違点１２−２に係る内側ラベル部材については記載も示唆もされていない。また、異議申立人の提示しているいずれの証拠にも，相違点１２−２に係る内側ラベル部材についての記載はない。
　よって、相違点１２−２は、当業者においても容易に想到し得たものではない。
　
　そうすると、相違点１２−１について検討するまでもなく、本件発明１２は、甲３発明に基づいて当業者が容易に発明をすることができたものということはできないから、取消理由３には理由がない。
　
第６　取消理由＜決定の予告＞において採用しなかった申立理由について
　
　取消理由＜決定の予告＞において採用しなかった申立理由は、請求項４、８、１２に対する甲１に基づく進歩性であるので、以下、検討する。
１　各甲号証の記載事項等
　各甲号証の記載事項及び甲１に記載された発明は、上記第５　１（１）、（３）、（４）、（６）ないし（８）及び（２）に記載のとおりである。
２　本件発明４と甲１発明Ａとの対比・判断
　本件発明４と甲１発明Ａとを対比すると、上記第５　２（１）の対比において述べたところを踏まえると、
「複合容器の製造方法において、
　ポリエチレンテレフタレート製のプリフォームを準備する工程と、
　前記プリフォームの胴部の外側および底部の少なくとも一部の外側であって予め筒状に形成されたプラスチック製部材を接着することなく装着する工程と、
　前記プリフォーム、前記内側ラベル部材および前記プラスチック製部材に対してブロー成形を施すことにより、前記プリフォームおよび前記プラスチック製部材を一体として膨張させ、容器本体と、前記容器本体の外側を取り囲むように接着されることなく密着して設けられ、
前記容器本体の口部以外の全域の外側に、剥離除去可能に設けられたプラスチック製部材とを有する複合容器を得る工程とを備え、
　前記複合容器の前記プラスチック製部材を前記容器本体から剥離除去し、前記容器本体をリサイクル可能となっている複合容器の製造方法。」
で一致し、以下の点で相違する。
＜相違点４−１＞
　プリフォームに関し、本件発明４は、「無色透明であり」と特定するのに対し、甲１発明Ａは、この点を特定しない点。
　
＜相違点４−２＞
　複合容器の用途に関し、本件発明４は、「ビール用」と特定すると共に、プラスチック製部材に関し、「プラスチック製部材は可視光色に着色されており、膨張された後の前記ビール用複合容器の前記プラスチック製部材は、波長４００ｎｍ〜５００ｎｍの光に対する透過率が２０％以下であり」と特定するのに対し、甲１発明Ａは、この点を特定しない点。
＜相違点４−３＞
　本件発明４は、「前記プリフォームの外側に、内側ラベル部材を接着することなく装着する工程」を有し、当該内側ラベル部材を設けたことに伴い各工程において「プラスチック製部材」と「容器本体」との間に「内側ラベル部材」が存在するのに対し、甲１発明Ａは、この点を特定しない点。
　以下、事案に鑑み、相違点４−３について検討する。
　甲１並びにいずれの証拠にも、相違点４−３に相当する内側ラベル部材について記載ないし示唆はなく、また、甲１発明Ａにおいて、このような内側ラベル部材をラベルスリーブとプリフォームとの間に設ける動機もみあたらない。
　なお、甲１における「更に、インフレートフィルムは、印刷の必要はなく、機能添加剤が望ましい用途に適している。例えば、着色剤又は顔料をポリマーに添加して、着色ラベルスリーブを作成できる。同様に、ＵＶ遮断コンセントレート、バリヤー層又は他の機能添加剤を、ラベルスリーブの作成に使用するポリマーに取り入れることができる。同様に、顔料添加チューブをプレフォームの周囲にフィットさせて、容器の色全体を変化させ、次いで、顔料添加チューブの上部を覆うように従来の貼り付けラベルを適用することができる。」（段落【００２０】）の記載は、着色ラベルスリーブ（本件発明４の「プラスチック製部材」に相当）の上部を覆うように従来の貼り付けラベルを適用することについての記述であって、上記相違点４−３に係る内側ラベル部材に関する記載とはいえない。
　してみれば、甲１発明Ａにおいて、相違点４−３に係る発明特定事項を有するようにすることは、当業者といえども容易に想到し得たものとはいえない。
　以上のことから、他の相違点４−１及び相違点４−２を検討するまでもなく、本件発明４は、甲１に記載された発明に基づいて容易に発明をすることができたものとはいえない。
３　本件発明８と甲１発明Ｂとの対比・判断
　本件発明８と甲１発明Ｂとを対比すると、上記第５　２（３）の対比において述べたところを踏まえると、
「複合容器用の複合プリフォームにおいて、
　ポリエチレンテレフタレート製のプリフォームと、
　筒状に形成されるとともに、前記プリフォームの胴部の外側および底部の少なくとも一部の外側を取り囲むように装着されたプラスチック製部材とを備え、
　前記プラスチック製部材は、前記プリフォームの外側に接着されることなく剥離除去可能に密着されている、
複合プリフォーム。」
　の点で一致し、以下の点で相違する。
　
＜相違点８−１＞
　ポリエチレンテレフタレート製のプリフォームに関し、本件発明８は、「無色透明であり」と特定するのに対し、甲１発明Ｂは、この点を特定しない点。
　
＜相違点８−２＞
　複合プリフォームの用途に関し、本件発明８は、「ビール用」と特定するとともに「前記プラスチック製部材は、可視光色に着色されており」と特定するのに対し、甲１発明Ｂは、この点を特定しない点。
　
＜相違点８−３＞
　本件発明８は、「前記プリフォームの外側を接着されることなく密着して設けられた内側ラベル部材」を有し、当該内側ラベル部材とプラスチック製部材との関係として、プラスチック製部材は、「内側ラベル部材の外側を取り囲むように装着された」及び「前記内側ラベル部材の外側に接着されることなく剥離除去可能に密着されており」と特定されているのに対し、甲１発明Ｂは、そのような特定はない点。
　以下、事案に鑑み、相違点８−３について検討する。
　相違点８−３は、上記２における相違点４−３と実質的に同じであるから、その判断は、上記２における「相違点４−３について」で示したとおりである。
　以上のことから、他の相違点８−１及び相違点８−２を検討するまでもなく、本件発明８は、甲１に記載された発明に基づいて容易に発明をすることができたものとはいえない。
　
４　本件発明１２と甲１発明Ｃとの対比・判断
　本件発明１２と甲１発明Ｃとを対比すると、上記第５　２（５）の対比において述べたところを踏まえると、
「複合容器において、
　ポリエチレンテレフタレート製の容器本体と、
　前記容器本体の口部以外の全域の外側に、接着されることなく剥離除去可能に密着して設けられたプラスチック製部材とを備え、
　前記容器本体および前記プラスチック製部材は、ブロー成形により一体として膨張されており、
　前記プラスチック製部材を前記容器本体から剥離除去し、前記容器本体をリサイクル可能となっている、複合容器。」
　の点で一致し、以下の点で相違する。
　
＜相違点１２−３＞
　容器本体に関し、本件発明１２は、「無色透明であり」と特定するのに対し、甲１発明Ｃは、この点を特定しない点。
　
＜相違点１２−４＞
　複合容器の用途に関し、本件発明１２は、「ビール用」と特定すると共に、プラスチック製部材に関し、「可視光色に着色されており」、「波長４００ｎｍ〜５００ｎｍの光に対する透過率が２０％以下であり」と特定するのに対し、甲１発明Ｃは、この点を特定しない点。
　
＜相違点１２−５＞
　本件発明１２は、「容器本体の周方向全域の外側を取り囲むように接着されることなく密着して設けられた内側ラベル部材」を有し、当該内側ラベル部材とプラスチック製部材との関係として、プラスチック製部材は、「内側ラベル部材の外側に、接着されることなく剥離除去可能に密着して設けられた」及び「前記内側ラベル部材の外側に接着されることなく取付けられ」たとされていて、「前記内側ラベル部材を前記容器本体から剥離除去」できる旨特定されているのに対し、甲３発明は、そのような特定はない点。
　
　以下、事案に鑑み、相違点１２−５について検討する。
　甲１には、相違点１２−５に係る内側ラベル部材については記載も示唆もされていない。また、異議申立人の提示しているいずれの証拠にも，相違点１２−５に係る内側ラベル部材についての記載はない。
　よって、相違点１２−５は、当業者においても容易に想到し得たものではない。
　
　そうすると、他の相違点１２−３及び相違点１２−４について検討するまでもなく、本件発明１２は、甲１発明Ｃに基づいて当業者が容易に発明をすることができたものということはできない。
５　異議申立人の主張の検討
　異議申立人は、令和２年１２月４日提出の意見書において、本件発明４、８に対して、甲１の段落【００２０】の記載の基づく発明からの進歩性欠如を主張するが（意見書の２１頁〜２３頁）、請求項４及び８は、何ら訂正されていないものであって、当該主張は、異議申立書に記載されていなかった新たな取消理由に係る主張であるから採用できない。なお、進んで、当該主張についてみると、当該段落【００２０】の記載に基づいても、プリフォームとプラスチック部材の間に設けられ「プリフォームの外側に」「接着することなく装着する」「内側ラベル部材」は認定できないから、結局のところ、請求人の当該主張は理由がないといえる。
　本件発明１２に対する主張も同様である。
第７　むすび 
　
　以上のとおりであるから、特許第６５０８５６１号の請求項１ないし３、５ないし７及び９ないし１１に係る特許は、特許法第１１３条第２号に該当し、を取り消されるべきものである。
　また、特許第６５０８５６１号の請求項４、８及び１２に係る特許は、当審から通知した取消理由＜決定の予告＞及び特許異議申立書に記載した特許異議申立理由によっては取り消すことはできないし、他に本件特許の請求項４、８及び１２に係る特許を取り消すべき理由を発見しない。
　
　よって、結論のとおり決定する。 　
【異議決定日】
令和３年３月２３日（２０２１．３．２３）
【訂正の要旨】
審決（決定）の【理由】欄参照。
（５７）【特許請求の範囲】
　【請求項１】
　ビール用複合容器の製造方法において、
　ポリエチレンテレフタレート製のプリフォームを準備する工程と、
　前記プリフォームの胴部の外側および底部の少なくとも一部の外側に、予め筒状に形成されたプラスチック製部材を接着することなく装着
することにより、前記プラスチック製部材を前記プリフォームに対して移動又は回転せず、かつ自重で落下しない程度に密着させる
　前記プリフォームおよび前記プラスチック製部材に対してブロー成形を施すことにより、前記プリフォームおよび前記プラスチック製部材を一体として膨張させ、容器本体と、前記容器本体の口部以外の全域の外側に剥離除去可能に設けられたプラスチック製部材とを有するビール用複合容器を得る工程とを備え、
　前記プラスチック製部材は、可視光色に着色されており、前記プリフォームは、無色透明であり、
　膨張された後の前記ビール用複合容器の前記プラスチック製部材は、波長４００ｎｍ〜５００ｎｍの光に対する透過率が２０％以下であり、
　
前記プラスチック製部材は、水蒸気バリア性を有し、
　
前記プラスチック製部材は、遮光性樹脂が添加されることにより紫外線バリア性を有し、
　
前記容器本体の内面に蒸着膜が形成され、
　
前記容器本体の満注容量が１００ｍｌ〜２０００ｍｌであり、前記容器本体の底部は、ペタロイド底形状を有し、前記容器本体の胴部は、円筒形状を有し、
　
前記ビール用複合容器の前記プラスチック製部材に、前記プラスチック製部材を前記容器本体から分離除去するための切断線が設けられ、
　前記ビール用複合容器の前記プラスチック製部材を前記容器本体から剥離除去し、前記容器本体をリサイクル可能となっていることを特徴とするビール用複合容器の製造方法。
　【請求項２】
　前記プラスチック製部材は、前記プリフォームに対して収縮する作用をもつ外側収縮部材であることを特徴とする請求項１記載のビール用複合容器の製造方法。
　【請求項３】
　前記外側収縮部材は、熱が加えられた際、前記プリフォームに対して収縮することを特徴とする請求項２記載のビール用複合容器の製造方法。
　【請求項４】
　ビール用複合容器の製造方法において、
　ポリエチレンテレフタレート製のプリフォームを準備する工程と、
　前記プリフォームの外側に、内側ラベル部材を接着することなく装着する工程と、
　前記プリフォームの胴部の外側および底部の少なくとも一部の外側であって前記内側ラベル部材の外側に、予め筒状に形成されたプラスチック製部材を接着することなく装着する工程と、
　前記プリフォーム、前記内側ラベル部材および前記プラスチック製部材に対してブロー成形を施すことにより、前記プリフォーム、前記内側ラベル部材および前記プラスチック製部材を一体として膨張させ、容器本体と、前記容器本体の外側を取り囲むように接着されることなく密着して設けられた内側ラベル部材と、前記容器本体の口部以外の全域の外側であって前記内側ラベル部材の外側に、剥離除去可能に設けられたプラスチック製部材とを有するビール用複合容器を得る工程とを備え、
　前記プラスチック製部材は、可視光色に着色されており、前記プリフォームは、無色透明であり、
　膨張された後の前記ビール用複合容器の前記プラスチック製部材は、波長４００ｎｍ〜５００ｎｍの光に対する透過率が２０％以下であり、
　前記ビール用複合容器の前記プラスチック製部材を前記容器本体から剥離除去し、前記容器本体をリサイクル可能となっていることを特徴とするビール用複合容器の製造方法。
　【請求項５】
　ビール用複合容器用の複合プリフォームにおいて、
　ポリエチレンテレフタレート製のプリフォームと、
　筒状に形成されるとともに、前記プリフォームの胴部の外側および底部の少なくとも一部の外側を取り囲むように装着されたプラスチック製部材とを備え、
　前記プラスチック製部材は、前記プリフォームの外側に接着されることなく剥離除去可能に密着されており、
　
前記プラスチック製部材の全域が、前記プリフォームに対して移動又は回転せず、かつ自重で落下しない程度に密着されており、
　前記プラスチック製部材は、可視光色に着色されており、前記プリフォームは、無色透明であ
り、
　
前記プラスチック製部材は、水蒸気バリア性を有し、
　
前記プラスチック製部材は、遮光性樹脂が添加されることにより紫外線バリア性を有し、
　
前記プリフォームの重量は、１０ｇ〜２０ｇである
　【請求項６】
　前記プラスチック製部材は、前記プリフォームに対して収縮する作用をもつ外側収縮部材であることを特徴とする請求項５記載の複合プリフォーム。
　【請求項７】
　前記外側収縮部材は、熱が加えられた際、前記プリフォームに対して収縮することを特徴とする請求項６記載の複合プリフォーム。
　【請求項８】
　ビール用複合容器用の複合プリフォームにおいて、
　ポリエチレンテレフタレート製のプリフォームと、
　前記プリフォームの外側を取り囲むように接着されることなく密着して設けられた内側ラベル部材と、
　筒状に形成されるとともに、前記プリフォームの胴部および底部の少なくとも一部の外側であって前記内側ラベル部材の外側を取り囲むように装着されたプラスチック製部材とを備え、
　前記プラスチック製部材は、前記プリフォームおよび前記内側ラベル部材の外側に接着されることなく剥離除去可能に密着されており、
　前記プラスチック製部材は、可視光色に着色されており、前記プリフォームは、無色透明であることを特徴とする複合プリフォーム。
　【請求項９】
　ビール用複合容器において、
　ポリエチレンテレフタレート製の容器本体と、
　前記容器本体の口部以外の全域の外側に、接着されることなく剥離除去可能に密着して設けられた
、周方向に貼り合わせ部を有しない
　前記容器本体および前記プラスチック製部材は、ブロー成形により一体として膨張されており、
　前記プラスチック製部材は、可視光色に着色されており、前記容器本体は、無色透明であり、
　前記プラスチック製部材は、波長４００ｎｍ〜５００ｎｍの光に対する透過率が２０％以下であり、
　
前記プラスチック製部材は、水蒸気バリア性を有し、
　
前記プラスチック製部材は、遮光性樹脂が添加されることにより紫外線バリア性を有し、
　
前記プラスチック製部材の厚みが５μｍ〜５００μｍであり、
　
前記容器本体の内面に蒸着膜が形成され、
　
前記容器本体の満注容量が１００ｍｌ〜２０００ｍｌであり、前記容器本体の底部は、ペタロイド底形状を有し、前記容器本体の胴部は、円筒形状を有し、
　
前記プラスチック製部材に、前記プラスチック製部材を前記容器本体から分離除去するための切断線が設けられ、
　前記プラスチック製部材を前記容器本体から剥離除去し、前記容器本体をリサイクル可能となっていることを特徴とするビール用複合容器。
　【請求項１０】
　前記プラスチック製部材は、収縮する作用をもつ外側収縮部材であることを特徴とする請求項９記載のビール用複合容器。
　【請求項１１】
　前記外側収縮部材は、熱が加えられた際、収縮することを特徴とする請求項１０記載のビール用複合容器。
　【請求項１２】
　ビール用複合容器において、
　ポリエチレンテレフタレート製の容器本体と、
　前記容器本体の
周方向全域の
　前記容器本体の口部以外の全域の外側であって前記内側ラベル部材の外側に、接着されることなく剥離除去可能に密着して設けられたプラスチック製部材とを備え、
　
前記プラスチック製部材は、前記内側ラベル部材の外面に接着されることなく取付けられており、
　前記容器本体、前記内側ラベル部材および前記プラスチック製部材は、ブロー成形により一体として膨張されており、
　前記プラスチック製部材は、可視光色に着色されており、前記容器本体は、無色透明であり、
　前記プラスチック製部材は、波長４００ｎｍ〜５００ｎｍの光に対する透過率が２０％以下であり、
　前記プラスチック製部材および前記内側ラベル部材を前記容器本体から剥離除去し、前記容器本体をリサイクル可能となっていることを特徴とするビール用複合容器。